(57)【特許請求の範囲】
【請求項１】
二つの、内壁と外壁の間が中空となっている二重壁で構成されている引き出し枠を備えた引き出しであって、該引き出し枠内に該引き出し枠の全長にわたって延びる樹脂からなる構造材部品を受容しており、
前記構造材部品が、分離した前方部品片（２）と後方部品片（３）とで構成されており、
前記前方部品片（２）が、前記引き出し枠の正面に隣接する前方被覆板（１９）を有しており、前記後方部品片（３）が前記引き出し枠の後ろの正面に隣接する後方被覆板（２０）を有しており、
前記前方部品片（２）と前記後方部品片（３）とは、かぎ（９，１０，１３，１４）によって相互に結合自在であることを特徴とする引き出し。
【請求項２】
両被覆板（１９，２０）に設けた溝（２１）で引き出し枠（８）の末端を受容することを特徴とする請求項１に記載の引き出し。
【請求項３】
前向きに開いた小室（２６）を通して前方部品片（２）内に挿入自在である、正面装飾の保持具（１１）用の固定手段（１２）を、前方部品片（２）内に備えていることを特徴とする請求項１又は２に記載の引き出し。
【請求項４】
後方部品片（３）が上方に開口する中空室（５）によって背面上昇壁（６）の支えピン（２８）を受容するように形成されていることを特徴とする請求項１に記載の引き出し。
【請求項５】
少なくともかぎ（９，１０，１３，１４）の部分を弾性的に形成することを特徴とする請求項１に記載の引き出し。
【請求項６】
各部品片（２，３）が、重ねて配置されて反対方向を向く二組のかぎ（９，１０，１３，１４）を有することを特徴とする請求項１から５のいずれかに記載の引き出し。
【請求項７】
後方部品片（３）が垂直平面内で移動または回動自在な支え部分を備え、該支え部分はそれぞれ引き出し枠（８）の外壁（８″）の折り曲げ縁（２３）内にかみ合うことを特徴とする請求項１から６のいずれかに記載の引き出し。
【請求項８】
支え部分が、スライド（１６）または回動自在なレバー（１５）によって形成され、該レバーはかぎ（１３）または前方部品片（２）に対して傾斜接続面（２４，２４′）を有することを特徴とする請求項７に記載の引き出し。
【請求項９】
構造材部品（３０）の後端に、構造材部品（３０）を引き出し枠（８）に固定する支え要素が設けられており、該支え要素は、該構造材部品（３０）と該引き出し枠（８）との間に挿入されるくさび状スライド（４５）であることを特徴とする請求項１から８のいずれかに記載の引き出し。
【請求項１０】
スライド（４５）を引き出し枠（８）と構造材部品（３０）の頭頂部に配置することを特徴とする請求項９に記載の引き出し。
【請求項１１】
スライド（４５）に設けたかぎ（２７）は穴（３４）内に、または構造材部品（３０）の突出部にかみ合うことを特徴とする請求項９又は１０に記載の引き出し。
【請求項１２】
スライド（４５）が引き出し枠（８）の外側上隅を覆うことを特徴とする請求項９から１１のいずれかに記載の引き出し。
【請求項１３】
構造材部品（３０）の後端に、構造材部品（３０）を引き出し枠（８）に固定する支え要素が設けられており、該支え要素は、構造材部品（３０）に回動自在に支えられた傾斜レバー（３５）によって形成することを特徴とする請求項１から８のいずれかに記載の引き出し。
【請求項１４】
各傾斜レバー（３５）が、構造材部品（３０）にリンク接合されて固定位置で引き出し枠（８）の後方正面に突き当たるアーム（３７）と、このアーム（３７）から突出して穴内に、または構造材部品（３０）の突起（４１）の後方にかみ合うかぎ（４０）を形成するアーム（３９）とを有することを特徴とする請求項１３に記載の引き出し。
【請求項１５】
構造材部品（３０）にリンク接合されるアーム（３７）がその自由端でスリット（３８）を有し、該スリット内に引き出し枠（８）の後縁を挿入することを特徴とする請求項１４に記載の引き出し。
【発明の詳細な説明】
【０００１】
【発明の属する技術分野】
本発明は、二つの、内壁と外壁の間が中空となっている二重壁で構成されている引き出し枠を有する引き出し（収納用容器）であって、引き出し枠内にその全長にわたって延びる樹脂材からなる構造材部品を受容するものに関する。
【０００２】
【従来の技術】
このような引き出しはＡＴ３５５７５６Ｂから公知である。使用される構造材部品によって、比較的薄い材料から形成される引き出し枠は、その安定性に本質的に寄与する補強効果を得る。その際、好ましくは、引き出し案内が部分的に構造材部品に内蔵されるかまたはこれに固定される。このような引き出しの場合、引き出しの正面装飾を構造材部品に固定することもできる。
【０００３】
【発明が解決しようとする課題】
本発明の課題は、上述の種類の引き出しにおいて、引き出しを引き出す方向の引き出し枠の構造材部品の安定性を改善することである。
【０００４】
【課題を解決するための手段】
本発明の課題は、構造材部品が引き出し枠の正面に隣接する前方被覆板を有すること、及び構造材部品の後端に備えられる支え要素(Halteelemente)を引き出し枠の内側方向へ向けて挿入して、構造材部品を固定することによって解決される。
【０００５】
【発明の実施の形態】
本発明の好適な実施例で、構造材部品を構成する分離した前後の部品片は前後の被覆板を有し、該被覆板とともにそれは引き出し枠の前後の正面に隣接し、かつ該被覆板（部品片）は、かぎ（係止爪）等によって相互に結合自在である。後方部品片は後方被覆板とともに支え要素を形成する。
【０００６】
従って、部品片によって形成される構造材部品は、各引き出し枠の全長にわたって延び、かつ末端でこれからわずかに突出する。それは前後で引き出し枠に支えられる。引き出し枠は引き出しの全受容空間を形成する槽の部分でもある。槽と引き出し枠は、その際、たとえば、樹脂材から一体的に射出成形するか、または薄鋼板から深絞りする(Blech tiefgezogen)。
【０００７】
引き出し枠や槽の補強効果を改善するために、本発明の実施例で、被覆板に設けた溝内で引き出し枠の末端を受容する。本発明の別の実施例では、後方部品片は上方に開口する中空室によって背面上昇壁の支えピンを受容するように形成される。部品片を結合する、少なくともかぎの部分は弾性的に形成されて、部品片は相互に相手内にスライドしてこれらを一体的に結合する。
【０００８】
好ましくは、各部品片は、重ねて配置されて反対方向へ向く二つのかぎを有する。その際、引き出し枠の外壁への支えを改善するために、好ましくは、後方部品片は垂直平面内で移動または回動自在な支え部分を備え、該支え部分はそれぞれ引き出し枠の外壁の折り曲げ縁内にかみ合う。その際、好ましくは、支え部分をスライドまたは回動自在なレバーによって形成し、該レバーは前方部品片に対して傾斜当接面を有する。この設計によって、部品片を相互に固定するとき、スライドまたはレバーは外壁の折り曲げ縁内で下向きに押圧されて、引き出し枠と構造材部品との間に強固な結合が得られる。
【０００９】
本発明の実施例では、支え要素を、好ましくは、構造材部品と引き出し枠との間に挿入されるくさび状スライドによって形成する。本発明の別の実施例では、支え要素を、構造材部品に回動自在に支えられる傾斜レバーによって形成する。以下に、本発明の各種の実施例を添付の図面により説明する。
【００１０】
【実施例】
本発明の引き出し（Schublade：収納用容器）は、本質的に、金属又は樹脂製の槽（収納部）１を有しており、該槽１に引き出し枠８が付加的に成形される。引き出し枠８は、内壁８′及び外壁８″を備えており、内壁８′と外壁８″の間が中空となるように（略Ｕ字状の断面に）形成される。そして、引き出し枠８内に構造材部品をはめ込むようになっている。
【００１１】
図１から１３までの実施例で、構造材部品は二つの部品片２，３からなる。好ましくは樹脂構造材(Kunststoffprofilen)から形成される部品片２，３は、内側に溝２１を備える前後の被覆板１９，２０を有し、該溝は引き出し枠８の末端を受容して、引き出し枠８または槽１の一層の補強に役立つ。部品片２，３は、さらに、引き出し枠８の横断面に対応しかつ引き出し枠８を補強する垂直支柱２２を有する。
【００１２】
部品片２，３は、かぎ９，１０と１３，１４を備えており、該かぎによって部品片２，３は相互に結合自在である。その際、かぎ９，１０と１３，１４は重ねて（同じ位置に）配置されて、前方部品片２のかぎ１０，１３は互いの方に向くのに対して、後方部品片３のかぎ９，１４は反対方向に向く。
【００１３】
後方部品片３には、本発明の好適な態様において、下方かぎ１４の下方域に回動レバー１５またはスライド１６が配置されている。回動レバー１５またはスライド１６は引き出し枠８の外壁８″の折り曲げ縁２３内で下向きに突出する。回動レバー１５ならびにスライド１６は傾斜面２４，２４′を備え、該傾斜面に前方部品片２のかぎ１３の相手面２５が接する。それによって、部品片２，３の結合に際し回動レバー１５またはスライド１６は折り曲げ縁２３内で下向きに押圧される。
【００１４】
前方部品片２内には前向きに開いた小室２６が形成され、該小室内には図示されない正面装飾の保持具１１に対して固定手段１２が配置される。前方部品片２は固定手段１２へスクリュードライバの接近を可能にする側面穴を有する。この穴は取り外し自在のふた４によって覆われる。
【００１５】
後方部品片３は上向きに開いた中空室５を有し、該中空室内に背面上昇壁６の支えピン２８が挿入自在である。背面上昇壁６には手すり７が普通の方法で固定自在である。部品片２，３には、好ましくは、引き出し案内セットの引き出しレール１７が直接固定される。
【００１６】
図６の実施例で、引き出し枠８の外壁８″は取り外し自在であり、かつ部品片２，３へクリップ止め自在である。本発明による引き出し枠８の補強は、とくに槽１を有する引き出しの場合に使用されるが、図４に示すように分離した引き出し枠８を本発明による部品片２，３で補強することが十分に可能である。
【００１７】
図１５から図１９までの参考例で、構造材部品３０は一体的に形成されている。両参考例で、それは、正面側で引き出し枠８に隣接する前端に前方被覆板１９を有する。さらに、前方被覆板１９は、引き出し枠８側の側面に溝２１を備え、該溝内に各引き出し枠８の末端が受容される。
【００１８】
図１４から１６までの参考例の構造材部品３０は、その後端に後方と上方に開いた空隙３１を有する。この空隙３１内で引き出しの組み立てに際して挿入されるくさび状スライド４５は、その前端にかぎ２７を、かつその後端にスリット３２とともに台座２９を有する。台座２９は組立位置で引き出し枠８の外側後端を包囲する（図１６）。
【００１９】
構造材部品３０は、空隙３１の下方域により小さい空隙３３と穴３４とを有している。引き出し枠８内に構造材部品３０を最終的に固定する前に、スライド４５は、そのかぎ２７にて空隙３３内にかみ合う。構造材部品３０の固定のため、スライド４５は前向きに、即ち、引き出し枠８内に、そのかぎ２７が構造材部品の穴３４内にかみ合うまで挿入される。したがって、構造材部品３０は、前方で前方被覆板１９と溝２１により、かつ後方でスライド４５により引き出し枠８内に固定される。尚、穴３４の下側からかぎ２７を押し戻すこともできる。
【００２０】
図１７から１９までの参考例で、構造材部品３０はその後端に台座または突出部１８を備え、該突出部上に傾斜レバー３５が軸３６によって支えられる。傾斜レバー３５は上向きのアーム３７を有し、該アームはその自由端でスライド４５の溝３２に対応するスリット３８を備える。組立位置で引き出し枠８の後端はこのスリット３８内に突出するから、引き出し枠８は傾斜レバー３５によって形状密接的に保持される。
【００２１】
アーム３７から突出するアーム３９はかぎ４０を備える。組立位置でかぎ４０は突出部４１の後方で構造材部品３０にスナップ作用でかみ合うため、傾斜レバー３５を拘束する位置内でそれは引き出し枠８を構造材部品３０に、または構造材部品３０を引き出し枠８に保持する。
【００２２】
【発明の効果】
以上詳述したように、本発明においては、支え要素により、引き出し枠と構造材部品とを簡単かつ確実に連結固定することができる。
【００２３】
さらに、被覆板に設けた溝によって引き出し枠の末端を保持するように構成することにより、引き出し枠や槽の補強効果を改善することができる。また、後方部品片に設けた上方に開口する中空室によって背面上昇壁の支えピンを受容することができ、簡便である。
【００２４】
部品片同士を結合するために、少なくともかぎの部分を弾性材料等にて形成することにより、部品片を相互に相手内にスライドさせてこれらを簡単かつ確実に一体的に結合することができる。
【００２５】
各部品片に反対方向を向いた二つのかぎを設けることにより、部品片同士を簡単かつ確実に結合することができる。その際に、引き出し枠の外壁への支えを改善するために、後方部品片に垂直平面内で移動または回動自在な支え部分を設けておけば、該支え部分が引き出し枠の外壁の折り曲げ縁内にかみ合う。従って、この設計によって、部品片を相互に固定するとき、スライドまたはレバーは外壁の折り曲げ縁内で下向きに押圧されて、引き出し枠と構造材部品との間に強固な結合を得ることができる。
【００２６】
さらに、前記の支え部分をスライドまたは回動自在なレバーによって形成し、該レバーに前方部品片に対する傾斜当接面を設けておけば、部品片を相互に固定する際にスライド又はレバーを外壁の折り曲げ縁内で下向きに確実に押圧することができ、引き出し枠と構造材部品との間に強固な結合を得ることができる。
【００２７】
支え要素を、構造材部品と引き出し枠との間に挿入されるくさび状スライドによって形成すれば、簡単な構成で確実に構造材部品と引き出し枠とを一体的に結合することができる。また、支え要素を構造材部品に回動自在に支えられる傾斜レバーによって形成すれば、容易に構造材部品と引き出し枠とを一体的に結合することができる。
【図面の簡単な説明】
【００２８】
【図１】 本発明の引き出しの斜視図である。
【図２】 本発明の引き出しの分解斜視図であり、構造材部品を形成する部品片を引き出し枠から引き出した状態を示す。
【図３】 背面上昇壁と手すりを有する本発明の引き出しの斜視図である。
【図４】 個々の引き出し枠と二つの部品片の斜視図である。
【図５】 外壁を取り去った引き出し枠の斜視図である。
【図６】 図５による引き出し枠の横断面の略図である。
【図７】 二つの部品片と、正面装飾の固定手段との斜視図である。
【図８】 構造材部品の側面図である。
【図９】 引き出し枠と後方部品片の横断面図である。
【図１０】 引き出し枠と後方部品片の横断面図である。
【図１１】 部品片の結合範囲を示す側面図である。
【図１２】 部品片の結合範囲を示す側面図である。
【図１３】 被覆板と部品片の横断面図である。
【図１４】 本発明による引き出しの参考例を部分的に断面で示す側面図である。
【図１５】 本発明の参考例の引き出しの後端を部分的に断面で示す側面図である。
【図１６】 引き出し枠の後端の正面図である。
【図１７】 本発明の参考例による引き出しの、図１４と図１５と同様の側面図である。
【図１８】 本発明の参考例による引き出しの、図１４と図１５と同様の側面図である。
【図１９】 図１７と１８の参考例による引き出し枠と構造材部品の横断面図である。
【符号の説明】
【００２９】
１ 槽(Wanne)
２ 前方部品片(Teilstuck)
３ 後方部品片
４ ふた
５ 中空室(Hohlkammer)
６ 背面上昇壁(Ruckwanderhohung)
７ 手すり(Reling)
８ 引き出し枠(Schubladenzarge)
８′内壁
８″外壁
９，１０ かぎ(Haken)
１１ 保持具
１２ 固定手段
１３，１４ かぎ
１５ 回動レバー
１６ スライド
１７ 引き出しレール
１８ 台座または突出部
１９，２０ 被覆板
２１ 溝
２２ 垂直支柱
２３ 折り曲げ縁
２４，２４′ 傾斜面
２５ 相手面
２６ 小室
２７ かぎ
２８ 支えピン
２９ 台座
３０ 構造材部品(Profilteile)
３１ 空隙
３２ スリット
３３ 空隙
３４ 穴
３５ 傾斜レバー
３６ 軸
３７ アーム
３８ スリット
３９ アーム
４０ かぎ
４１ 突出部
４５ くさび状スライド(Schieber)
【図１】
0004296553.tif 000002
【図２】
0004296553.tif 000003
【図３】
0004296553.tif 000004
【図４】
0004296553.tif 000005
【図５】
0004296553.tif 000006
【図６】
0004296553.tif 000007
【図７】
0004296553.tif 000008
【図８】
0004296553.tif 000009
【図９】
0004296553.tif 000010
【図１０】
0004296553.tif 000011
【図１１】
0004296553.tif 000012
【図１２】
0004296553.tif 000013
【図１３】
0004296553.tif 000014
【図１４】
0004296553.tif 000015
【図１５】
0004296553.tif 000016
【図１６】
0004296553.tif 000017
【図１７】
0004296553.tif 000018
【図１８】
0004296553.tif 000019
【図１９】
0004296553.tif 000020